(57)【要約】      （修正有）【課題】要求に応じてオンデマンドでポップアップされる仕掛けの表示を入れ替えることができるポップアップ仕掛け付き冊子を提供する。【解決手段】ポップアップ仕掛け付き冊子Ｂが閉じた状態ではポップアップ仕掛けは折り畳まれた状態で収納され、ポップアップ仕掛けが付されている所定のページが見開き状態に開かれると、ポップアップ仕掛けが立体的にせり出してポップアップする。ポップアップ仕掛けは、一段目の飾り部分２ａ、２ｂと、片体としての二段目の写真台部分３ａ、３ｂと、上部アーチ形飾り部分４ａ、４ｂとからなる。二段目の写真台部分３ａ、３ｂの上面には、冊子Ｂの利用者に応じて異なる写真データを印刷して表示する。【選択図】図２
0003189962.tif 000002
【実用新案登録請求の範囲】
【請求項１】
ポップアップされる片体に自冊子の利用者ごとに異なる写真データを印刷して表示可能なポップアップ仕掛け付き冊子。
【請求項２】
ポップアップされる片体に自冊子の利用者ごとに異なる写真を備えて表示可能なポップアップ仕掛け付き冊子。
【考案の詳細な説明】
【技術分野】
【０００１】
本考案は、要求に応じてオンデマンドでポップアップされる仕掛けの表示を入れ替えることができるポップアップ仕掛け付き冊子に関する。
【背景技術】
【０００２】
見開き可能な基体の両頁間の折り目あるいはその両頁を利用して、仕掛け部分としての片体を折り畳み状態とポップアップ（飛び出す）状態との２態様に変化可能に設け、看者の趣向に応じるポップアップカードや仕掛け絵本と称される商品が広く知られている。
【０００３】
一方、関連技術として以下のようなものが提案されている。
常態ではフラットに閉じることができながら、美麗に彩色された立体物が飛び出すように現われ、しかも見る角度によって色彩が豊かに変化するポップアップ式見開き体を提供する。その構成は、片体が離隔片であるときはその離隔片で挟まれた中間部の基体上に、位相差板でできた内体を折り畳み状態とポップアップ状態との２態様に変化可能に設ける（特許文献１参照）。
【０００４】
また、カード状ケースに挟入した装飾板を、カード状ケースを折り畳むことによって飛び出させ、立体的な形態に変形させることができるポップアップカードであって、機械で簡単に製作できるポップアップカードを得る（特許文献２参照）。
【０００５】
また、幼児期における子供の気持ちを絵本における物語の中に容易に取り込むことができ、しかも子供に物語を読み聞かせる際、子供が、絵本に登場しているキャラクタが自分に語りかけているように感じ取れる絵本を提供する。その構成は、絵本を閉じた状態において、絵本の表表紙、各頁、裏表紙に渡る切り欠きを絵本の背側たる背表紙側から形成し、絵本を開いた状態で左頁と右頁に渡り本ののどを跨いで本の前後に貫通する開口が形成される（特許文献３参照）。
【先行技術文献】
【特許文献】
【０００６】
【特許文献１】特開平７−２２８０７８号公報
【特許文献２】特開平１０−１７１３５２号公報
【特許文献３】特開２０１０−８２９０９号公報
【考案の概要】
【考案が解決しようとする課題】
【０００７】
しかしながら、上記の関連技術は、小ロット（例えば１〜２０部程度）の要求に応じてオンデマンドでポップアップされる仕掛け部分としての片体の表示を入れ替えることが困難であるという問題点があった。すなわち、例えば、保育園や幼稚園のクラス単位での卒業祝い文集・アルバム等の冊子の一部に、クラス全体の写真や個人・グループ等の写真を表示させて、その表示を仕掛け部分としてポップアップさせる場合等に対応することは困難であった。
【０００８】
本考案の目的は、要求に応じてオンデマンドでポップアップされる仕掛けの表示を入れ替えることができるポップアップ仕掛け付き冊子を提供することにある。
【課題を解決するための手段】
【０００９】
本考案の第一のポップアップ仕掛け付き冊子は、ポップアップされる片体に自冊子の利用者ごとに異なる写真データを印刷して表示可能である。
このように、ポップアップされる片体に利用者ごとに異なる写真データを印刷表示することにより、仕掛けの表示を入れ替えることができるので、例えば、保育園や幼稚園のクラス単位での卒業祝い文集・アルバム等の冊子の一部に、個人ごとにデジタルカメラ等で撮影した好みの写真データを選んで表示させることで各自のオリジナルの冊子が実現できる。
【００１０】
また、本考案の第二のポップアップ仕掛け付き冊子は、ポップアップされる片体に自冊子の利用者ごとに異なる写真を備えて表示可能である。
このように、ポップアップされる片体に利用者ごとに異なる写真を貼付して表示することにより、仕掛けの表示を入れ替えることができるので、例えば、保育園や幼稚園のクラス単位での卒業祝い文集・アルバム等の冊子の一部に、個人ごとに好みのプリントされた写真を選んで貼付して表示させることで各自のオリジナルの冊子が実現できる。
【考案の効果】
【００１１】
本考案によれば、要求に応じてオンデマンドでポップアップされる仕掛けの表示を入れ替えることができるポップアップ仕掛け付き冊子を提供することができる。
【図面の簡単な説明】
【００１２】
【図１】本考案の実施の形態に係るポップアップ仕掛け付き冊子の閉じた状態を示す斜視図である。
【図２】本考案の実施の形態に係るポップアップ仕掛け付き冊子のポップアップ状態を示す斜視図である。
【図３】本考案の実施の形態に係るポップアップ仕掛け付き冊子のポップアップ状態における側面図である。
【図４】本考案の変形例に係るポップアップ仕掛け付き冊子のポップアップ状態を示す斜視図である。
【考案を実施するための形態】
【００１３】
以下、本考案の実施の形態を図面を参照しつつ説明する。
本考案の実施の形態におけるポップアップ仕掛け付き冊子Ｂは、保育園の１クラスごとの卒園アルバムを前提として説明するが、見開き可能な冊子はこれに限らず、任意の写真集・文集・絵本・カード等を広く含む概念であり、厚紙、シート、布等でできたブックやカード、蓋と内蓋を有するボックス等にも適用可能である。
【００１４】
図１に示すように、ポップアップ仕掛け付き冊子Ｂは閉じた状態では、表表紙（図２の１０ａ）、裏表紙（図２の１０ｂ）及び各ページからなる。ポップアップ仕掛けが付されている所定のページも閉じられているのでポップアップ仕掛けも折り畳まれた状態で収納されている。表表紙及び裏表紙を形成する台紙は、ここではＡ３サイズであり、２つ折りにした状態ではＡ４サイズとなる。
折り畳み状態にあるので、全体がフラットとなって、手交、郵送及び収納等の管理・保管等を容易に実施することができる。
【００１５】
冊子の背をホチキスで留める中綴じ製本や、特殊な糊で綴じる並製製本などの製本方法が適用されてよい。
【００１６】
ページ数は例えば、最大２４ページまでや、最大３６ページまでとしてもよく、また、印刷部数は最小５部からや１５部からなどとしてもよい。
【００１７】
図２に示すように、ポップアップ仕掛け付き冊子Ｂはポップアップ仕掛けが付されている所定のページ１ａ、１ｂが見開き状態に開かれると、ポップアップ仕掛けが立体的にせり出してポップアップ（飛び出す）する。
【００１８】
ポップアップ仕掛けは、一段目の飾り部分の２ａ、２ｂと、片体としての二段目の写真台部分の３ａ、３ｂと、上部アーチ形飾り部分の４ａ、４ｂとからなる。なお、例えばスライドさせるような他の仕掛け用の片体で構成することであってもよい。
ポップアップ仕掛けは、各ページとは別の板紙やボール紙等の紙材等からなる装飾用の片部材によって形成し、これら片部材を例えば両面粘着テープや接着剤等の固着手段により所定の領域（図３も参照）に固着されている。周知のポップアップ仕掛けに適用される種々の技術が用いられてよい。
【００１９】
二段目の写真台部分の３ａ、３ｂの上面側（読み手が普通に視認する側）には、デジタルカメラの撮像データ等が印刷されている。撮像データの被写体としては各園児などがある。数人の仲良しグループやクラスの全体集合写真等であってもよい。１画像が３ａ、３ｂ部分に亘って印刷され折り曲げられることでも、１画像が途中で折り曲げられないように３ａ、３ｂ部分のいずれか又は両側に１画像又は２画像が印刷されることでもよい。
【００２０】
ポップアップ仕掛けは任意のデザインを施したり、両面に絵柄等の印刷等が施されてよい。左ページ１ａや右ページ１ｂにもポップアップ仕掛けの表側に描かれているイラストに対応したイラストを描いて、より立体的に見えるようにしたり、後側から見た場合でも、ポップアップ仕掛けの表側に何が描かれているか分かるように文字等の表示を付したりすることであってもよい。
ポップアップ仕掛けに施される、イラストタイトルは、例えば「おめでとう  そつえん」「平成２６年  ＸＸＸ保育園  ゆり組一同」等の１８０点以上から選択可能であってもよい。また、色、レイアウトパターンや背景等も２００点以上から選択可能であってもよい。
【００２１】
ポップアップ仕掛け付き冊子Ｂは閉じた状態では、ポップアップ仕掛けも、ページ１ａ側の２ａ、３ａ、４ａ部分と、ページ１ｂ側の２ｂ、３ｂ、４ｂ部分とがそれぞれ左右ページ上に平坦に折り畳まれた状態で収納されている。
【００２２】
図３に示すように、右ページ１ｂと一段目の飾り部分の２ｂを連結するための連結板２１ｂが設けられ、さらに一段目の飾り部分の２ｂと二段目の飾り部分の３ｂを連結するための連結板３１ｂが設けられている。連結板２１ｂ、３１ｂは、ポップアップ状態において四角筒、六角筒、八角筒などの多角筒を形成する板紙やボール紙等の紙材等からなる折り畳み可能な筒体からなる。なお、図３では図示を省略するが、左ページ側についても同様の機構が設けられている。
【００２３】
上記の本実施の形態によれば、ポップアップされる二段目の写真台部分の３ａ、３ｂに個人ごとに異なる写真データを印刷表示することにより、仕掛けの表示を入れ替えることができるので、個人ごとにデジタルカメラ等で撮影した好みの写真データを選んで表示させることで各自のオリジナルの冊子が実現できる。さらに、プロによる美麗な印刷の仕上がりを実現することもできる。また、ポップアップ仕掛け付き冊子Ｂを製本・提供する業者側としては、所定の領域のデジタルデータを差し替える作業のみで済むので小ロットのオンデマンド印刷にも対応可能となる。
【００２４】
図４に変形例を示す。二段目の写真台部分の３ａ、３ｂの上面側（読み手が普通に視認する側）には、予めプリントされている写真６が利用者によって自ら切り貼りして貼着されている。１枚の写真が３ａ、３ｂ部分に亘って貼着され折り曲げられることでも、１枚の写真が途中で折り曲げられないように３ａ、３ｂ部分のいずれか又は両側に１枚又は２枚が貼着されることでもよい。
ポップアップされる二段目の写真台部分の３ａ、３ｂに個人ごとに異なる写真を貼付して表示することにより、仕掛けの表示を入れ替えることができるので、個人ごとに好みのプリントされた写真を手軽に選んで貼付して表示させることで各自のオリジナルの冊子が実現できる。
【００２５】
その他、一々例示はしないが、本考案は、その趣旨を逸脱しない範囲内において、各構成部分の材質・大きさや形状・色を含む種々の変更が加えられて実施されてよい。
【符号の説明】
【００２６】
Ｂ                ポップアップ仕掛け付き冊子
１ａ、１ｂ        左右ページ
２、３、４        ポップアップ仕掛け
６                写真
１０ａ、１０ｂ    表裏表紙
２１、３１        連結板
【図１】
0003189962.tif 000003
【図２】
0003189962.tif 000004
【図３】
0003189962.tif 000005
【図４】
0003189962.tif 000006
【手続補正書】
【提出日】平成26年2月20日(2014.2.20)
【手続補正１】
【補正対象書類名】明細書
【補正対象項目名】０００９
【補正方法】変更
【補正の内容】
【０００９】
本考案の第一のポップアップ仕掛け付き冊子は、自冊子が閉じた状態ではポップアップ仕掛けは折り畳まれた状態で収納され、ポップアップ仕掛けが付されている所定のページが見開き状態に開かれると、ポップアップ仕掛けが立体的にせり出してポップアップするポップアップ仕掛け付き冊子であって、ポップアップ仕掛けは、写真台となる片体を備え、片体には、自冊子の利用者に応じて異なる写真データを印刷して表示する。
このように、ポップアップされる片体に利用者に応じて異なる写真データを印刷表示することにより、仕掛けの表示を入れ替えることができるので、例えば、保育園や幼稚園のクラス単位での卒業祝い文集・アルバム等の冊子の一部に、個人ごとにデジタルカメラ等で撮影した好みの写真データを選んで表示させることで各自のオリジナルの冊子が実現できる。
【手続補正２】
【補正対象書類名】明細書
【補正対象項目名】００１０
【補正方法】変更
【補正の内容】
【００１０】
また、本考案の第二のポップアップ仕掛け付き冊子は、自冊子が閉じた状態ではポップアップ仕掛けは折り畳まれた状態で収納され、ポップアップ仕掛けが付されている所定のページが見開き状態に開かれると、ポップアップ仕掛けが立体的にせり出してポップアップするポップアップ仕掛け付き冊子であって、ポップアップ仕掛けは、写真台となる片体を備え、片体には自冊子の利用者に応じて異なる写真を付して表示する。
このように、ポップアップされる片体に利用者に応じて異なる写真を貼付して表示することにより、仕掛けの表示を入れ替えることができるので、例えば、保育園や幼稚園のクラス単位での卒業祝い文集・アルバム等の冊子の一部に、個人ごとに好みのプリントされた写真を選んで貼付して表示させることで各自のオリジナルの冊子が実現できる。
【手続補正３】
【補正対象書類名】実用新案登録請求の範囲
【補正対象項目名】全文
【補正方法】変更
【補正の内容】
【実用新案登録請求の範囲】
【請求項１】
自冊子が閉じた状態ではポップアップ仕掛けは折り畳まれた状態で収納され、前記ポップアップ仕掛けが付されている所定のページが見開き状態に開かれると、前記ポップアップ仕掛けが立体的にせり出してポップアップするポップアップ仕掛け付き冊子であって、
前記ポップアップ仕掛けは、写真台となる片体を備え、
前記片体には、自冊子の利用者に応じて異なる写真データを印刷して表示するポップアップ仕掛け付き冊子。
【請求項２】
自冊子が閉じた状態ではポップアップ仕掛けは折り畳まれた状態で収納され、前記ポップアップ仕掛けが付されている所定のページが見開き状態に開かれると、前記ポップアップ仕掛けが立体的にせり出してポップアップするポップアップ仕掛け付き冊子であって、
前記ポップアップ仕掛けは、写真台となる片体を備え、
前記片体には自冊子の利用者に応じて異なる写真を付して表示するポップアップ仕掛け付き冊子。